(57)【要約】【課題】連続して可動するコンベヤにより搬送され、検査装置により検査される荷物が詰まる可能性を低減させる。【解決手段】検査装置１２は、コンベヤ１３により搬送される荷物Ｊを検査する装置である。コンベヤ１３は、搬送路の上流側に客Ｐ２が載置した荷物Ｊを検査装置１２の入口に搬入し、検査装置１２の内部を搬送して検査装置１２により検査を受ける位置を通過させ、検査を経た後の荷物Ｊを検査装置１２の出口から搬出する。筐体Ｃ１は、コンベヤ１３の搬送路のうち、検査装置１２の入口から荷物Ｊの搬送方向の上流に向かう領域を上から覆う。筐体Ｃ２は、コンベヤ１３の搬送路のうち、検査装置１２の出口から荷物Ｊの搬送方向の下流に向かう領域を上から覆う。筐体Ｃ１、検査装置１２の筐体、及び筐体Ｃ２とコンベヤ１３との間に形成される空間Ｗは、荷物Ｊの搬送方向に垂直な断面が搬送方向の下流に向かい拡大している。【選択図】図１
2020071129.tif 000002
【特許請求の範囲】
【請求項１】
連続して稼働するコンベヤにより搬送される荷物を、検査装置により検査する検査システムであって、
前記荷物の搬送路の少なくとも一部を上から覆う筐体を有し、前記筐体と前記コンベヤとの間に形成される空間の、前記荷物の搬送方向に垂直な断面が前記搬送方向の下流に向かい拡大する
検査システム。
【請求項２】
前記空間は、前記断面が連続的に拡大する部分、及び段階的に拡大する部分の少なくとも一方を有する
請求項１に記載の検査システム。
【請求項３】
前記空間の入口の上流側に、前記荷物を前記搬送方向に沿って該入口へ案内する案内部材が設けられている
請求項１又は２に記載の検査システム。
【発明の詳細な説明】
【技術分野】
【０００１】
本発明は、連続して可動するコンベヤにより搬送される荷物を検査装置により検査する検査システムの技術に関する。
【背景技術】
【０００２】
空港の搭乗口等では、Ｘ線等を用いて荷物の内部を検査する検査システムが用いられている。
【０００３】
特許文献１には、被検査物が収納された、Ｘ線に対して透明な容器を、ベルトコンベヤ等の搬送装置により搬送し、搬送中の被検査物に向けてＸ線照射装置により複数の異なる方向から入射Ｘ線を照射する半固定式物質同定装置が記載されている。特許文献１の半固定式物質同定装置は、Ｘ線検出装置により被検査物を透過した各透過Ｘ線から２以上のエネルギー領域のＸ線強度を弁別して計測し、演算表示装置により入射Ｘ線と透過Ｘ線の各強度分布から搬送方向に直交する断面内の被検査物の物質分布を演算し表示する。特許文献１には、上述した容器が通る搬送路の側面を遮蔽する遮蔽カバーが記載されている。
【先行技術文献】
【特許文献】
【０００４】
【特許文献１】特開２００９−８４４１号
【発明の概要】
【発明が解決しようとする課題】
【０００５】
しかし、特許文献１に記載の技術では、搬送中の容器が遮蔽カバーに接触して、容器が詰まる可能性については言及されていない。
【０００６】
本発明の目的の一つは、連続して可動するコンベヤにより搬送され、検査装置により検査される荷物が詰まる可能性を低減させることである。
【課題を解決するための手段】
【０００７】
上述した課題を解決するため、本発明は、連続して稼働するコンベヤにより搬送される荷物を、検査装置により検査する検査システムであって、前記荷物の搬送路の少なくとも一部を上から覆う筐体を有し、前記筐体と前記コンベヤとの間に形成される空間の、前記荷物の搬送方向に垂直な断面が前記搬送方向の下流に向かい拡大する検査システムを、第１の態様として提供する。
【０００８】
第１の態様の検査システムによれば、搬送中の荷物が詰まる可能性が低減する。
【０００９】
第１の態様の検査システムにおいて、前記空間は、前記断面が連続的に拡大する部分、及び段階的に拡大する部分の少なくとも一方を有する、という構成が第２の態様として採用されてもよい。
【００１０】
第２の態様の検査システムによれば、荷物は、筐体と接触しても搬送方向に搬送されることで筐体から離れ易くなる。
【００１１】
第１又は第２の態様の検査システムにおいて、前記空間の入口の上流側に、前記荷物を前記搬送方向に沿って該入口へ案内する案内部材が設けられている、という構成が第３の態様として採用されてもよい。
【００１２】
第３の態様の検査システムによれば、案内部材が設けられていない場合に比べて、コンベヤにより搬送される荷物が検査装置の入口に入り易くなる。
【図面の簡単な説明】
【００１３】
【図１】本発明の一実施形態に係る検査システム１の構成の例を示す図。
【図２】空間Ｗを説明するための図。
【図３】空間Ｗの断面を示す図。
【図４】断面Ｆ１、Ｆ２及びＦ３を搬送方向に正射影した図。
【図５】空間Ｗを搬送される荷物Ｊを上から見下ろした様子を示す図。
【図６】搬送方向に垂直な断面が連続的に拡大する部分の一例を示す図。
【図７】断面が段階的に拡大する部分を有しない空間Ｗの一例を示す図。
【図８】断面が連続的に拡大する部分だけで構成された空間Ｗの一例を示す図。
【図９】空間Ｗの入口に設けられた案内部材Ｅ１の例を示す図。
【発明を実施するための形態】
【００１４】
＜実施形態＞
＜検査システムの構成＞
図１は、本発明の一実施形態に係る検査システム１の構成の例を示す図である。検査システム１は、交通機関やコンサートホール、公会堂等、入場した客Ｐ２にサービスを提供する場所において、その入場の際に客Ｐ２の荷物Ｊを検査するシステムである。
【００１５】
図１には、検査システム１を上から見下ろした様子の概略が示されている。検査システム１は、図１に示す矢印に沿って場外Ｌから場内Ｈへ入場しようとする客Ｐ２の荷物Ｊを搬送して検査する。検査システム１は、検査装置１２、コンベヤ１３、及び載置台１７を備える。
【００１６】
検査装置１２は、コンベヤ１３により搬送される荷物Ｊを、例えばＸ線を照射することにより連続して検査する装置である。図１において、検査装置１２の荷物Ｊが搬入される入口は下方向に、荷物Ｊが搬出される出口は上方向に、それぞれ示されている。
【００１７】
検査装置１２の筐体は、荷物Ｊの搬送路のうち、検査装置１２の内部であって荷物Ｊが検査を受ける領域を上から覆う。検査装置１２による荷物Ｊの検査の結果は、例えば図示しないディスプレイ等により表示され、監視員Ｐ１により確認される。
【００１８】
コンベヤ１３は、荷物Ｊを検査装置１２に搬送する装置である。連続して稼働するコンベヤ１３は、搬送路の上流側に客Ｐ２が載置した荷物Ｊを検査装置１２の入口に搬入し、検査装置１２の内部を搬送して検査装置１２により検査を受ける位置を通過させ、検査を経た後に検査装置１２の出口から搬出する。コンベヤ１３は、例えばベルトコンベヤである。図１において、コンベヤ１３は、下側の場外Ｌから上側の場内Ｈに向かって荷物Ｊを搬送する。コンベヤ１３は、図示しない操作盤が受付けた監視員Ｐ１の操作に応じて稼働又は停止する。
【００１９】
コンベヤ１３は、一体のベルトコンベヤによって構成されていてもよく、また、複数のベルトコンベヤによって構成されていてもよい。コンベヤ１３は、例えば検査装置１２よりも上流側の領域と、検査装置１２の内部の領域と、検査装置１２よりも下流側の領域と、にそれぞれ分かれたベルトコンベヤ等が協働する構成でもよい。
【００２０】
載置台１７は、荷物Ｊをコンベヤ１３に搬送させる前に載置しておくための台である。載置台１７は、例えばコンベヤ１３の上流端に隣接して設けられる。載置台１７の上部に載置された荷物Ｊは、例えば、所定のタイミングで客Ｐ２によりコンベヤ１３のある方向に押されて移動し、コンベヤ１３により搬送路に沿って搬送される。
【００２１】
筐体Ｃ１は、コンベヤ１３の搬送路のうち、検査装置１２の入口から荷物Ｊの搬送方向の上流に向かう領域を上から覆うように設けられている。また、筐体Ｃ２は、コンベヤ１３の搬送路のうち、検査装置１２の出口から荷物Ｊの搬送方向の下流に向かう領域を上から覆うように設けられている。つまり、筐体Ｃ１、検査装置１２の筐体、及び筐体Ｃ２は（以下、単に「筐体」ともいう）、いずれも荷物Ｊの搬送路の少なくとも一部を上から覆っている。これらの「筐体」は、コンベヤ１３との間に空間Ｗを形成する。筐体Ｃ１、及び筐体Ｃ２は、いずれも透明の部材で構成され、外側から内側が視認可能である。
【００２２】
図２は、空間Ｗを説明するための図であり、「筐体」と、コンベヤ１３との間に形成される空間Ｗを上から見下ろした様子の概略を示している。なお、図２に示す空間Ｗは説明のため強調されており、各部の大きさは図１に示したものと異なっている。
【００２３】
ＩＩＩａ−ＩＩＩａ線は、荷物Ｊの搬送方向に垂直な平面であって、空間Ｗのうち筐体Ｃ１と交差する平面を示す。ＩＩＩｂ−ＩＩＩｂ線は、荷物Ｊの搬送方向に垂直な平面であって、空間Ｗのうち検査装置１２の筐体と交差する平面を示す。ＩＩＩｃ−ＩＩＩｃ線は、荷物Ｊの搬送方向に垂直な平面であって、空間Ｗのうち筐体Ｃ２と交差する平面を示す。
【００２４】
図３は、空間Ｗの断面を示す図である。図３には、空間Ｗにおける荷物Ｊの搬送方向に垂直な断面Ｆ１、Ｆ２及びＦ３を、図２に示す荷物Ｊの搬送方向に沿ってそれぞれ見た図が示されている。
【００２５】
すなわち、図３（ａ）には、図２に示すＩＩＩａ−ＩＩＩａ線における空間Ｗの断面Ｆ１を荷物Ｊの搬送方向に沿って見た様子が示されている。図３（ｂ）には、図２に示すＩＩＩｂ−ＩＩＩｂ線における空間Ｗの断面Ｆ２を荷物Ｊの搬送方向に沿って見た様子が示されている。図３（ｃ）には、図２に示すＩＩＩｃ−ＩＩＩｃ線における空間Ｗの断面Ｆ３を荷物Ｊの搬送方向に沿って見た様子が示されている。
【００２６】
断面Ｆ２は、図２に示す通り断面Ｆ１よりも荷物Ｊの搬送方向の下流にあり、図３に示す通り断面Ｆ１よりも大きい。また、断面Ｆ３は、図２に示す通り断面Ｆ２よりも荷物Ｊの搬送方向の下流にあり、図３に示す通り断面Ｆ２よりも大きい。
【００２７】
つまり、「筐体」とコンベヤ１３との間に形成される空間Ｗの、荷物Ｊの搬送方向に垂直な断面Ｆ１、Ｆ２及びＦ３は、搬送方向の下流に向かい拡大している。
【００２８】
図２に示す部分Ｒ１は、筐体Ｃ１と検査装置１２との境界であり、断面Ｆ１が断面Ｆ２に段階的に拡大する部分である。また、図２に示す部分Ｒ２は、検査装置１２と筐体Ｃ２との境界であり、断面Ｆ２が断面Ｆ３に段階的に拡大する部分である。すなわち、図２に示す空間Ｗは、断面が段階的に拡大する部分を有する。
【００２９】
図４は、断面Ｆ１、Ｆ２及びＦ３を搬送方向に正射影した図である。図４に示す通り、搬送方向に正射影した断面Ｆ１は断面Ｆ２に含まれ、断面Ｆ１及び断面Ｆ２はいずれも断面Ｆ３に含まれる。すなわち、上述した空間Ｗの断面は、荷物Ｊの搬送方向に正射影すると、いずれも、その断面よりも搬送方向の下流側の断面に含まれる。
【００３０】
＜検査システムの動作＞
以下に検査システム１の動作の例を説明する。図１に示す監視員Ｐ１は、場外Ｌから場内Ｈに入ってくる客Ｐ２に対して荷物Ｊの検査結果に応じた対応をする必要があるため、検査装置１２の出口側に立っている。
【００３１】
客Ｐ２は、場外Ｌで載置台１７に荷物Ｊを載置した後、略水平方向に押してコンベヤ１３へ滑らせる。そして、荷物Ｊを手放した客Ｐ２は、場内Ｈに入り、検査済みで安全が確認された荷物Ｊを監視員Ｐ１から受け取る。
【００３２】
連続して稼働しているコンベヤ１３は、客Ｐ２に押されて載置台１７から移動した荷物Ｊを検査装置１２の入口へ搬送する。
【００３３】
図５は、空間Ｗを搬送される荷物Ｊを上から見下ろした様子を示す図である。なお、検査装置１２及び検査装置７２（後述）のそれぞれの筐体は、外部から内部を視認可能ではないが、説明のため、図５では検査装置１２及び検査装置７２のそれぞれの内部で搬送される荷物Ｊを示す。
【００３４】
図５（ａ）には、比較のために、検査システム１と異なる形状の筐体を備えた検査システムにおける荷物Ｊの挙動の例が示されている。図５（ａ）に示す検査システムは、荷物Ｊを搬送するコンベヤ（図示せず）と、搬送された荷物Ｊを検査する検査装置７２と、筐体Ｃ７１及び筐体Ｃ７２とを備える。
【００３５】
筐体Ｃ７１は、上述したコンベヤの搬送路のうち、検査装置７２の入口から荷物Ｊの搬送方向の上流に向かう領域を上から覆うように設けられている。また、筐体Ｃ７２は、上述した搬送路のうち、検査装置７２の出口から荷物Ｊの搬送方向の下流に向かう領域を上から覆うように設けられている。
【００３６】
筐体Ｃ７１、及び筐体Ｃ７２は、いずれも透明の部材で構成され、外側から内側が視認可能である。筐体Ｃ７１、検査装置７２の筐体、及び筐体Ｃ７２は、上述したコンベヤとの間に空間Ｗ７を形成する。
【００３７】
この空間Ｗ７は、荷物Ｊの搬送方向に垂直な、どの平面で切断しても、その断面の形状及び面積が同じである。すなわち、空間Ｗ７は、荷物Ｊの搬送方向に垂直な断面が、搬送方向の下流に向かって拡大しない形状である。
【００３８】
この形状を有するため、空間Ｗ７を通過する荷物Ｊは、筐体Ｃ７１、検査装置７２の筐体、及び筐体Ｃ７２のいずれかの内壁面に一度でも接触すると、その荷物Ｊが空間Ｗ７を通過し終えるまでこれら内壁面に接触したまま搬送方向に沿って搬送され易い。そのため、空間Ｗ７を搬送される荷物Ｊは、一旦接触した上述の内壁面から摩擦によって搬送方向に抗する力を受け易く、内壁面に引っ掛かり搬送路が詰まることも起き易い。
【００３９】
一方、図５（ｂ）に示す検査システム１の空間Ｗは、上述した通り荷物Ｊの搬送方向に垂直な断面が、搬送方向の下流に向かい拡大している。
【００４０】
したがって、例えば、図５（ｂ）に示す通り、荷物Ｊが筐体Ｃ１の内壁面に接触したとしても、搬送されて部分Ｒ１を乗り越えると搬送方向に垂直な断面が拡大するため、荷物Ｊは検査装置１２の筐体と接触し難くなる。
【００４１】
また、荷物Ｊが検査装置１２の筐体の内壁面に接触したとしても、搬送されて部分Ｒ２を乗り越えると搬送方向に垂直な断面が拡大するため、荷物Ｊは筐体Ｃ２と接触し難くなる。
【００４２】
すなわち、検査システム１では、荷物Ｊの搬送方向に垂直な、空間Ｗの断面が、この搬送方向の下流に向かい拡大しているから、荷物Ｊが詰まり難い。
【００４３】
以上の実施形態で説明された構成、形状、大きさ及び配置関係については本発明が理解・実施できる程度に概略的に示したものにすぎない。したがって、本発明は、説明された実施形態に限定されるものではなく、特許請求の範囲に示される技術的思想の範囲を逸脱しない限り様々な形態に変更することができる。
【００４４】
＜変形例＞
以上が実施形態の説明であるが、この実施形態の内容は以下のように変形し得る。また、以下の変形例は組み合わされてもよい。
【００４５】
＜変形例１＞
上述した実施形態において検査システム１は、載置台１７を備えていたが、備えなくてもよい。また、上述した実施形態において、載置台１７はコンベヤ１３の上流端に隣接して設けられていたが、コンベヤ１３の幅方向に隣接して設けられていてもよい。また、載置台１７においては、荷物Ｊをコンベヤ１３へ移動させやすくするために、荷物Ｊを移動させる複数の回転するローラを設けてもよい。また、載置台１７は、コンベヤ１３の搬送方向の上流端を覆うように設けてもよい。
【００４６】
＜変形例２＞
上述した実施形態において、検査システム１は、場外Ｌから場内Ｈへ入場しようとする際に、客Ｐ２の入場の可否を判定していないが、これを判定してもよい。
【００４７】
この場合、検査システム１は、例えば、ＩＳＯ／ＩＥＣ  １８０９２規格に準拠した近接無線通信の機能と、開閉可能なゲートと、を備えた改札装置を備えるとよい。客Ｐ２は、集積回路（ＩＣ： Integrated Circuit）を内蔵したＩＣカードを所持する。このＩＣカードには、客Ｐ２を識別する識別情報や、客Ｐ２が保有する電子マネー等の金額等、客Ｐ２に関する情報が記憶されている。改札装置は、客Ｐ２が所持するＩＣカードが所定の距離内に近づいたときに、そのＩＣカードと近接無線通信をして情報の遣り取りをする。そして、改札装置は、そのＩＣカードから受信した情報に基づいて客Ｐ２が場外Ｌから場内Ｈへ入場することの可否を判定し、客Ｐ２の入場を許可しない場合に、ゲートを閉じて客Ｐ２の入場を阻止すればよい。
【００４８】
＜変形例３＞
上述した実施形態において、空間Ｗは、荷物Ｊの搬送方向に垂直な断面が、搬送方向の下流に向かって段階的に拡大する部分Ｒ１及び部分Ｒ２を有していたが、これに加えてその断面が連続的に拡大する部分を有してもよい。
【００４９】
図６は、空間Ｗにおいて荷物Ｊの搬送方向に垂直な断面が連続的に拡大する部分の一例を示す図である。図６に示す空間Ｗのうち筐体Ｃ２とコンベヤ１３とにより形成される部分Ｒ３は、荷物Ｊの搬送方向に垂直な断面が連続的に拡大する部分である。
【００５０】
図６に示す空間Ｗにおいて、荷物Ｊが筐体Ｃ２の内壁面に接触したとしても、筐体Ｃ２とコンベヤ１３とにより形成される部分Ｒ３は搬送方向に垂直な断面が拡大する形状であるため、搬送方向に搬送されることで荷物Ｊは筐体Ｃ２と接触し難い。
【００５１】
＜変形例４＞
また、上述した空間Ｗは、荷物Ｊの搬送方向に垂直な断面が連続的に拡大する部分を有し、段階的に拡大する部分を有しなくてもよい。
【００５２】
図７は、搬送方向に垂直な断面が段階的に拡大する部分を有しない空間Ｗの一例を示す図である。図７に示す空間Ｗのうち、筐体Ｃ２とコンベヤ１３とにより形成される部分Ｒ３、及び筐体Ｃ１とコンベヤ１３とにより形成される部分Ｒ１１は、いずれも、荷物Ｊの搬送方向に垂直な断面が連続的に拡大する部分である。
【００５３】
なお、図７に示す空間Ｗのうち、検査装置１２の筐体とコンベヤ１３とにより形成される部分Ｒ２１は、上述した断面が搬送方向の下流に向かって拡大も縮小もしない部分である。つまり、図７に示す空間Ｗは、上述した断面が連続的に拡大する部分、及び、その断面が拡大も縮小もしない部分だけで形成される。
【００５４】
この場合、荷物Ｊが筐体Ｃ１の内壁面に接触したとしても、筐体Ｃ１とコンベヤ１３とにより形成される部分Ｒ１１は搬送方向に垂直な断面が連続的に拡大する形状であるため、搬送方向に搬送されることで荷物Ｊは筐体Ｃ１と接触し難い。
【００５５】
また、荷物Ｊが検査装置１２の筐体の内壁面に接触したとしても、搬送されて部分Ｒ３まで到達すれば、搬送方向に垂直な断面が連続的に拡大するため、荷物Ｊは筐体Ｃ２と接触し難い。
【００５６】
したがって、「筐体」とコンベヤ１３との間に形成される空間Ｗは、上述した断面が連続的に拡大する部分、及び段階的に拡大する部分の少なくとも一方を有していればよい。
【００５７】
＜変形例５＞
また、上述した空間Ｗは、荷物Ｊの搬送方向に垂直な断面が連続的に拡大する部分によってその全体が構成されていてもよい。
【００５８】
図８は、搬送方向に垂直な断面が連続的に拡大する部分だけで構成された空間Ｗの一例を示す図である。図８に示す筐体Ｃ１は荷物Ｊの搬送方向の下流端が検査装置１２の入口と連続している。また、図８に示す筐体Ｃ２は荷物Ｊの搬送方向の上流端が検査装置１２の出口と連続している。
【００５９】
そして、図８に示す空間Ｗは、搬送方向に垂直な断面が全体として連続的に拡大する形状である。そのため、荷物Ｊは、空間Ｗのどこで内壁面に接触しても搬送方向に進むことで接触し難くなる。
【００６０】
＜変形例６＞
図９は、空間Ｗの入口に設けられた案内部材Ｅ１の例を示す図である。「筐体」とコンベヤ１３との間に形成される空間Ｗには、その入口の上流側に、荷物Ｊを搬送方向に沿って入口へ案内する案内部材Ｅ１が設けられていてもよい。
【００６１】
この案内部材Ｅ１は、空間Ｗの入口、つまり、筐体Ｃ１の上流端よりも荷物Ｊの搬送方向の上流側において、コンベヤ１３による荷物Ｊの搬送路を上から覆っている。
【００６２】
この案内部材Ｅ１とコンベヤ１３との間に形成される空間Ｖは、例えば図９に示す通り、荷物Ｊの搬送方向に垂直な断面がその搬送方向の下流に向かい縮小していてもよい。また、この案内部材Ｅ１の下流端は、図９に示す通り筐体Ｃ１の上流端と連続していてもよい。
【００６３】
この場合、荷物Ｊは、搬送方向に搬送されて案内部材Ｅ１と接触すると、案内部材Ｅ１の内壁面に沿って空間Ｖに入り、筐体Ｃ１の上流端に案内される。これにより、荷物Ｊは上述した空間Ｗに入り易くなる。
【００６４】
なお、「筐体」とコンベヤ１３との間に形成される空間Ｗの、荷物Ｊの搬送方向に垂直な断面は、搬送方向の下流に向かい拡大していればよいので、例えば、荷物Ｊの搬送方向に垂直な、空間Ｗの断面のうち、検査装置１２における断面は、筐体Ｃ１における断面よりも大きく、かつ、筐体Ｃ２における断面と同じであってもよい。
【００６５】
＜変形例７＞
上述した実施形態において、筐体Ｃ１及び筐体Ｃ２は、いずれも透明の部材で構成されており、外側から内側の全てが視認可能であったが、外側から内側の一部が視認可能なように、例えば、格子状に組み合わされた針金等により形成されていてもよい。
【符号の説明】
【００６６】
１…検査システム、１２…検査装置、１３…コンベヤ、１７…載置台、７２…検査装置、Ｃ１…筐体、Ｃ２…筐体、Ｃ７１…筐体、Ｃ７２…筐体、Ｅ１…案内部材、Ｆ１…断面、Ｆ２…断面、Ｆ３…断面、Ｐ１…監視員、Ｐ２…客、Ｒ１…部分、Ｒ１１…部分、Ｒ２…部分、Ｒ２１…部分、Ｒ３…部分、Ｗ、Ｗ７…空間。
【図１】
2020071129.tif 000003
【図２】
2020071129.tif 000004
【図３】
2020071129.tif 000005
【図４】
2020071129.tif 000006
【図５】
2020071129.tif 000007
【図６】
2020071129.tif 000008
【図７】
2020071129.tif 000009
【図８】
2020071129.tif 000010
【図９】
2020071129.tif 000011
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
連続して稼働するコンベヤにより搬送される荷物を、検査装置により検査する検査システムであって、
前記荷物の搬送路のうち、前記検査装置における入口から出口までの領域を上から覆う筐体を有し、前記筐体と前記コンベヤとの間に形成される空間の、前記荷物の搬送方向に垂直な断面が前記搬送方向の下流に向かい拡大する
検査システム。
【請求項２】
前記空間は、前記断面が連続的に拡大する部分、及び段階的に拡大する部分の少なくとも一方を有する
請求項１に記載の検査システム。
【請求項３】
前記空間の入口の上流側に、前記荷物を前記搬送方向に沿って該入口へ案内する案内部材が設けられている
請求項１又は２に記載の検査システム。
【手続補正２】
【補正対象書類名】明細書
【補正対象項目名】０００７
【補正方法】変更
【補正の内容】
【０００７】
上述した課題を解決するため、本発明は、連続して稼働するコンベヤにより搬送される荷物を、検査装置により検査する検査システムであって、前記荷物の搬送路のうち、前記検査装置における入口から出口までの領域を上から覆う筐体を有し、前記筐体と前記コンベヤとの間に形成される空間の、前記荷物の搬送方向に垂直な断面が前記搬送方向の下流に向かい拡大する検査システムを、第１の態様として提供する。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
連続して稼働するコンベヤにより搬送される荷物を、検査装置により検査する検査システムであって、
前記荷物の搬送路の搬送方向において、前記検査装置の入口から上流に向かう領域、前記検査装置の出口から下流に向かう領域、及び、前記検査装置における前記入口から前記出口までの領域を上から覆う筐体を有し、前記筐体と前記コンベヤとの間に形成される空間の、前記荷物の搬送方向に垂直な断面が前記搬送方向の下流に向かい拡大する
検査システム。
【請求項２】
前記空間は、前記断面が連続的に拡大する部分、及び段階的に拡大する部分の少なくとも一方を有する
請求項１に記載の検査システム。
【請求項３】
前記空間の入口の上流側に、前記荷物を前記搬送方向に沿って該入口へ案内する案内部材が設けられている
請求項１又は２に記載の検査システム。
【手続補正２】
【補正対象書類名】明細書
【補正対象項目名】０００７
【補正方法】変更
【補正の内容】
【０００７】
上述した課題を解決するため、本発明は、連続して稼働するコンベヤにより搬送される荷物を、検査装置により検査する検査システムであって、前記荷物の搬送路の搬送方向において、前記検査装置の入口から上流に向かう領域、前記検査装置の出口から下流に向かう領域、及び、前記検査装置における前記入口から前記出口までの領域を上から覆う筐体を有し、前記筐体と前記コンベヤとの間に形成される空間の、前記荷物の搬送方向に垂直な断面が前記搬送方向の下流に向かい拡大する検査システムを、第１の態様として提供する。